(57)【特許請求の範囲】
【請求項１】
乗り口を開閉するゲートを有し、乗場に設けられた乗場ゲート装置と、
前記乗場ゲート装置に設けられた第１開操作部と、
前記乗場ゲート装置において前記第１開操作部よりも低い位置に設けられた第２開操作部と、
前記第１開操作部と前記第２開操作部が同時に操作されたときに前記ゲートを開ける制御装置と、
を備えた、エスカレーター。
【請求項２】
前記第１開操作部にかざして使用される認証カードをさらに備え、
前記制御装置は、前記第１開操作部により前記認証カードが検知されたときに前記ゲートを開ける、請求項１に記載のエスカレーター。
【請求項３】
前記制御装置は、前記第１開操作部と前記第２開操作部が同時に触れられ、当該各開操作部の間に利用者を介して電流が流れたときに前記ゲートを開ける、請求項１又は２に記載のエスカレーター。
【請求項４】
前記乗場ゲート装置は、一対の欄干の各外側面に沿ってそれぞれ配置された一対のゲート装置本体と、前記各ゲート装置本体にそれぞれ設けられた一対の前記ゲートとを有する、請求項１〜３のいずれか１項に記載のエスカレーター。
【請求項５】
前記第１開操作部は、前記ゲート装置本体に設置され、
前記第２開操作部は、前記ゲートに設置されている、請求項４に記載のエスカレーター。
【請求項６】
降り口を開閉する降り口ゲートを有し、降場に設けられた降場ゲート装置をさらに備え、
前記制御装置は、前記第１開操作部と前記第２開操作部が同時に操作されたとき、又は乗客が前記降り口に近づいたときに前記降り口ゲートを開ける、請求項１〜５のいずれか１項に記載のエスカレーター。
【発明の詳細な説明】
【技術分野】
【０００１】
本発明は、エスカレーターに関し、より詳しくは乗り口を開閉する乗場ゲート装置を備えたエスカレーターに関する。
【背景技術】
【０００２】
幼児が１人でエスカレーターに乗ると、転倒や転落のおそれがあるため、従来の一部のエスカレーターでは、アナウンス等により大人と幼児が手をつないで一緒に乗るように促している。しかし、大人が目を離したすきに幼児が１人でエスカレーター乗場に近づく場合がある。このような状況を考慮して、特許文献１には、移動手摺が入り込む手摺入り込み口付近に対して送風を行うための吹き出し口を有する送風手段を備えたエスカレーター利用者用災害防止装置が開示されている。
【先行技術文献】
【特許文献】
【０００３】
【特許文献１】特開平８−３２４９４８号公報
【発明の概要】
【発明が解決しようとする課題】
【０００４】
特許文献１の技術によれば、エスカレーター乗場から幼児を遠ざける効果が期待されるが、特に幼児が多い施設などに設置されるエスカレーターでは、より確実な方法で幼児が１人で乗り口に進入することを防止する必要がある。
【０００５】
本発明の目的は、幼児が１人で乗り口に進入することを高度に抑制し、幼児が大人と一緒である場合にのみ幼児の乗り口への進入を許可することが可能なエスカレーターを提供することである。
【課題を解決するための手段】
【０００６】
本発明に係るエスカレーターは、乗り口を開閉するゲートを有し、乗場に設けられた乗場ゲート装置と、前記乗場ゲート装置に設けられた第１開操作部と、前記乗場ゲート装置において前記第１開操作部よりも低い位置に設けられた第２開操作部と、前記第１開操作部と前記第２開操作部が同時に操作されたときに前記ゲートを開ける制御装置とを備えることを特徴とする。
【０００７】
本発明に係るエスカレーターは、前記第１開操作部にかざして使用される認証カードをさらに備え、前記制御装置は、前記第１開操作部により前記認証カードが検知されたときに前記ゲートを開ける構成とすることが好ましい。
【０００８】
本発明に係るエスカレーターにおいて、前記制御装置は、前記第１開操作部と前記第２開操作部が同時に触れられ、当該各開操作部の間に利用者を介して電流が流れたときに前記ゲートを開ける構成とすることが好ましい。
【０００９】
本発明に係るエスカレーターにおいて、前記乗場ゲート装置は、一対の欄干の各外側面に沿ってそれぞれ配置された一対のゲート装置本体と、前記各ゲート装置本体にそれぞれ設けられた一対の前記ゲートとを有する構成とすることが好ましい。また、前記第１開操作部は前記ゲート装置本体に設置され、前記第２開操作部は前記ゲートに設置されることが好ましい。
【００１０】
本発明に係るエスカレーターは、降り口を開閉する降り口ゲートを有し、降場に設けられた降場ゲート装置をさらに備え、前記制御装置は、前記第１開操作部と前記第２開操作部が同時に操作されたとき、又は乗客が前記降り口に近づいたときに前記降り口ゲートを開ける構成としてもよい。
【発明の効果】
【００１１】
本発明に係るエスカレーターでは、ゲートによって乗り口が閉じられているので、幼児が１人で乗り口に進入することを高度に抑制できる。そして、幼児が大人と一緒である場合は、大人が第１開操作部を操作し、幼児が第２開操作部を操作することによってゲートが開き、幼児の乗り口への進入が許可される。つまり、本発明に係るエスカレーターによれば、大人がいる場合にのみゲートが開いて乗り口が開放される。
【００１２】
さらに、乗場ゲート装置が、一対の欄干の各外側面に沿ってそれぞれ配置された一対のゲート装置本体と、各ゲート装置本体にそれぞれ設けられた一対のゲートとを有する構成とすれば、幼児が欄干に設置される移動手摺に接触することも防止できる。
【図面の簡単な説明】
【００１３】
【図１】実施形態の一例であるエスカレーターの全体構成を示す図である。
【図２】実施形態の一例である乗場ゲート装置を示す図である。
【図３】実施形態の一例であるエスカレーターの使用状態を説明するための図である。
【図４】実施形態の一例であるエスカレーターの使用状態を説明するための図である。
【図５】実施形態の他の一例である乗場ゲート装置を示す図である。
【発明を実施するための形態】
【００１４】
以下、実施形態の一例について詳細に説明する。
実施形態の説明で参照する図面は模式的に記載されたものであるから、実施形態の各構成要素の寸法等は以下の説明を参酌して判断されるべきである。また、複数の実施形態の各構成要素を適宜組み合わせてエスカレーターを構成することは当初から想定されている。
【００１５】
本明細書において、「幼児」とは、エスカレーターに１人で乗ることが好ましくない小さな子供を意味し、例えば小学生未満の小さな子供である。大人とは、例えば中学生以上の者である。小学生以上の子供の扱いについては、幼児と同じ扱いとしてもよいし、また低学年の子供は幼児と同じ扱いとし、高学年の子供は後述の認証カードを持たせて大人と同じ扱いとしてもよい。なお、以下では、ステップの両側に設けられる一対の欄干に直交する方向を「横方向」とし、横方向一方側を左側、横方向他方側を右側という場合がある。
【００１６】
図１は、実施形態の一例であるエスカレーター１０の全体構成を示す図である。図１に例示すように、エスカレーター１０は、複数のステップ１１が上階と下階との間を循環する昇降装置である。ステップ１１の左右両側には、ステップ１１と共に移動する移動手摺（図示せず）を支持する一対の欄干１２が設けられている。移動手摺は、ステップ１１と共に移動する手摺である。エスカレーター１０は、ステップ１１を移動させる駆動装置（図示せず）などの動作を制御する制御装置２０を備える。
【００１７】
ステップ１１は、乗客を運搬するための踏段であって、乗客が乗る踏板と、段差を塞ぐためのライザと、踏板及びライザを固定するフレームとを有する。フレームには、各ステップ１１を連結するステップチェーン１３に取り付けられたステップ軸が設置される。ステップ１１は、上記駆動装置によってステップチェーン１３が駆動されることで上階と下階との間を循環走行する。ステップチェーン１３は、下部機械室１６に設置される下部スプロケット１４及び上部機械室１７に設置される上部スプロケット１５に架け渡されている。制御装置２０は、例えば上部機械室１７に設置されている。
【００１８】
エスカレーター１０は、下階側が乗場１８、上階側が降場１９となる上りエスカレーターである。なお、本発明の構成は下りエスカレーターに適用されてもよい。図１に示す例では、下階に乗場ゲート装置３０が、上階に降場ゲート装置４０がそれぞれ設けられている。エスカレーター１０は、幼児が多く利用する施設等に設置される。
【００１９】
エスカレーター１０は、例えば時間帯により上りと下りが切り替わるエスカレーターであってもよい。エスカレーター１０の運転方向が変化する場合は、例えば乗場ゲート装置３０と降場ゲート装置４０は互いに同様の構成を有する。この場合、降場ゲート装置４０には、降り口を開閉する降り口ゲートに加えて、後述の各開操作部が設けられる。以下では、乗場ゲート装置３０と降場ゲート装置４０が同じ構成を有するものとして、ゲート装置の各構成要素については乗場ゲート装置３０を例に説明する。エスカレーター１０の上り運転時には、降場ゲート装置４０における各開操作部は使用停止状態とされる。
【００２０】
図２は、乗場ゲート装置３０の斜視図である。図２に例示するように、エスカレーター１０は、乗り口１８ｐを開閉するゲート３２を有し、乗場１８に設けられた乗場ゲート装置３０を備える。ここで、乗り口１８ｐとは、乗場１８においてステップ１１に乗る場所を意味する。ゲート３２は、乗り口１８ｐを塞いだ状態において、例えば乗り口１８ｐの左右両側に設けられる欄干１２に略直交している。エスカレーター１０では、乗場ゲート装置３０のゲート３２が乗り口１８ｐを塞ぐため、幼児が１人で乗り口１８ｐに進入することが防止される。
【００２１】
エスカレーター１０は、さらに、乗場ゲート装置３０に設けられた第１開操作部３３と、乗場ゲート装置３０において第１開操作部３３よりも低い位置に設けられた第２開操作部３４とを備える。第１開操作部３３と第２開操作部３４は、ゲート３２を開けるためのセンサ又はスイッチである。制御装置２０は、第１開操作部３３と第２開操作部３４が同時に操作されたときにゲート３２を開ける。制御装置２０は、ステップ１１の移動及びゲート３２の開閉を制御し、降り口ゲートの開閉を制御する。なお、ゲート３２の開閉を制御する制御装置は、ステップ１１等の移動を制御する制御装置と別に設けられてもよい。
【００２２】
詳しくは後述するが、第１開操作部３３は大人が操作することを想定したセンサ又はスイッチであり、第２開操作部３４は幼児が操作することを想定したセンサ又はスイッチである。但し、第２開操作部３４は大人又は小学生以上の子供によって操作されてもよい。制御装置２０は、第１開操作部３３が操作された場合にゲート３２を開放してもよいが、少なくとも第２開操作部３４のみが操作された場合はゲート３２を開放しない。幼児が大人と一緒である場合は、例えば大人が第１開操作部３３に触れ、幼児が第２開操作部３４に触れることによってゲート３２が開き、幼児の乗り口１８ｐへの進入が許可される。
【００２３】
乗場ゲート装置３０は、一対の欄干１２の各外側面に沿ってそれぞれ配置された一対のゲート装置本体３１と、各ゲート装置本体３１にそれぞれ設けられた一対のゲート３２とを有する。各ゲート装置本体３１は、乗場１８において各欄干１２を挟むように設けられ、ゲート３２と共に乗り口１８ｐの三方を囲んでいる。なお、乗場１８及び降場１９には、移動手摺が欄干１２の下から上に出る、又は欄干１２の上から下に入る出入り口が設けられる。ゲート装置本体３１は、当該出入り口に幼児が手を触れることがないように、例えば当該出入り口に対応する位置まで欄干１２に沿って設けられることが好適である。
【００２４】
ゲート装置本体３１は、例えば移動手摺の出入り口から欄干１２の先端を超えて設けられる。ゲート３２は、内側に回転して開くことが好ましく、例えば欄干１２から離れたゲート装置本体３１の先端部に回転可能に支持される。欄干１２の先端から乗り口１８ｐと反対側に延びる部分（以下、「延出部」という場合がある）の長さは、ゲート３２が内側に開いたときにゲート３２と欄干１２が接触しない長さとすることが好ましい。ゲート装置本体３１の延出部には、ゲート３２を収容する凹部３６が形成されている。
【００２５】
ゲート装置本体３１は、例えば幼児が腕を延ばしても装置本体の上端部に手が届かない高さに形成される。ゲート装置本体３１には、ゲート３２を開閉するための図示しないモータ、スピーカ３５等が設置される。第１開操作部３３は、ゲート装置本体３１に設置されることが好適である。第２開操作部３４は、ゲート装置本体３１に設置されてもよいが、好ましくはゲート３２に設置される。
【００２６】
ゲート３２は、乗り口１８ｐを閉じた状態で各ゲート装置本体３１に対して略垂直に設けられる。図２に示す例では、２枚のゲート３２によって乗り口１８ｐが閉じられる。各ゲート３２は、各ゲート装置本体３１にそれぞれ軸支され、各ゲート装置本体３１の中間で端部同士が互いに略一致して乗り口１８ｐを閉じている。ゲート３２は、例えば略矩形形状の板状部材であるが、ゲート３２の形状は幼児の乗り口１８ｐへの進入を阻止できる限り特に限定されない。
【００２７】
第１開操作部３３は、大人が操作してゲート３２を開けるためのセンサ又はスイッチである。本実施形態では、ゲート装置本体３１において、幼児の手が届かない又は届き難い位置に第１開操作部３３が設置される。図２に示す例では、ゲート装置本体３１の利用者側に向いた前面３１ａと鉛直上方に向いた上面３１ｂの間に傾斜面３１ｃが形成されており、傾斜面３１ｃに第１開操作部３３が設けられている。第１開操作部３３の高さは、例えば６歳児の平均身長と腕の長さを考慮して決定される。
【００２８】
第１開操作部３３は、機械式のスイッチであってもよいが、好ましくは利用者の手の接近又は接触を検知するタッチセンサ、或いは後述の認証カード３７の接近又は接触を検知するセンサである。また、第１開操作部３３として、当該両方のセンサが搭載されていてもよい。
【００２９】
第２開操作部３４は、幼児が操作してゲート３２を開けるためのセンサ又はスイッチあって、好ましくは利用者の手の接近又は接触を検知するタッチセンサである。第２開操作部３４は、ゲート３２の第１開操作部３３よりも低い位置であって、幼児の手が届き易い位置に設置されることが好適である。ゲート３２には、幼児が操作し易いように、第２開操作部３４が設置された部分に手の絵柄が描かれている。
【００３０】
制御装置２０は、上述の通り、第１開操作部３３と第２開操作部３４が同時に操作されたときにゲート３２を開ける。幼児は、第１開操作部３３に手が届かず、ましてや第１開操作部３３と第２開操作部３４に同時に触れることはできない。このため、エスカレーター１０では、大人が一緒である場合にのみゲート３２が開く。
【００３１】
さらに、制御装置２０は、ゲート３２の開放と連動してステップ１１を駆動させることが好適であり、第１開操作部３３と第２開操作部３４が同時に操作されたとき、即ちゲート３２が開放されたとき、又は乗客が降り口に近づいたときに降り口ゲートを開ける。また、制御装置２０は、例えば一組の大人と幼児が乗り口１８ｐを通過する度にゲート３２を閉じる。
【００３２】
図３に例示するように、大人が第１開操作部３３に触れ、幼児が第２開操作部３４に触れて各開操作部が同時に触れられたときにゲート３２が開き、乗り口１８ｐへの進入が可能となる。乗場ゲート装置３０では、各ゲート装置本体３１に第１開操作部３３がそれぞれ設置されている。また、各ゲート３２に第２開操作部３４がそれぞれ設置されている。この場合、例えば左側のゲート装置本体３１に設置された第１開操作部３３と、右側のゲート３２に設置された第２開操作部３４が同時に触れられたときにゲート３２を開放する設定とする。これにより、大人と幼児が横に並んでエスカレーター１０に乗ることを促すことができる。
【００３３】
乗場ゲート装置３０では、ゲート装置本体３１の前面３１ａにスピーカ３５が設置されている。スピーカ３５は、例えば大人と幼児が手をつないでエスカレーター１０に乗ることを促す音声を出力する。また、スピーカ３５を用いて、ゲート３２を開ける方法などをアナウンスしてもよい。
【００３４】
エスカレーター１０は、第１開操作部３３と第２開操作部３４が同時に操作されたときのみにゲート３２を開放してもよいが、第１開操作部３３にかざして使用される認証カード３７を備える構成としてもよい。
【００３５】
図４に例示するように、認証カード３７を第１開操作部３３にかざすことでゲート３２が開き、エスカレーター１０を利用することができる。この場合、制御装置２０は、第１開操作部３３により認証カード３７が検知されたときにゲート３２を開ける。認証カード３７は、例えば磁気カード、ＩＣチップ付きカードであって、エスカレーター１０が設置される施設の入館時に大人だけに配布される。大人が幼児と一緒である場合は、認証カード３７を使用しなくても、図３に示すように、大人が第１開操作部３３に触れ、幼児が第２開操作部３４に触れることでゲート３２を開放できる。
【００３６】
さらに、エスカレーター１０（制御装置２０）は、第１開操作部３３と第２開操作部３４が同時に触れられ、かつ当該各開操作部の間に利用者を介して電流が流れたときにゲート３２を開けるように構成されてもよい。電流としては、刺激のない微弱な電流が使用される。具体例としては、第１開操作部３３に触れた大人に電流が流れ、この大人と手をつないだ幼児を介して第２開操作部３４に電流が流れる。この場合、大人と幼児が手をつないでいる場合にのみ、ゲート３２が開放されて乗り口１８ｐへの進入が可能となる。
【００３７】
以上のように、上記構成を備えたエスカレーター１０によれば、ゲート３２によって乗り口１８ｐが閉じられているので、幼児が１人で乗り口１８ｐに進入することを高度に抑制できる。降り口も降場ゲート装置４０の降り口ゲートによって閉じられているので、幼児が降り口に進入することを高度に抑制できる。一方、幼児が大人と一緒である場合は、大人が第１開操作部３３に触れ、幼児が第２開操作部３４に触れることでゲート３２が開き、幼児の乗り口１８ｐへの進入が許可される。また、各ゲート装置によって、幼児が欄干１２に設置される移動手摺に接触することも防止できる。
【００３８】
図５は、実施形態の他の一例である乗場ゲート装置３０ｘを示す図である。図５に例示するように、乗場ゲート装置３０ｘが設けられたエスカレーターのランディングプレート２１には、大人用足型３８と、大人用足型３８より小さな子供用足型３９とが描かれている。大人用足型３８は左側のゲート３２の前に、子供用足型３９は右側のゲート３２の前にそれぞれ描かれ、互いに横方向に並んでいる。図５に例示する形態によれば、大人を左側のゲート３２の前に、幼児を右側のゲート３２の前にそれぞれ誘導することができ、幼児が大人と一緒にエスカレーターに乗ることを促すことができる。
【００３９】
乗場ゲート装置３０ｘには、第１開操作部３３と第２開操作部３４が設けられるが、第１開操作部３３は左側のゲート装置本体３１に、第２開操作部３４は右側のゲート３２にそれぞれ設けられている点で、乗場ゲート装置３０と異なる。図５に例示する形態では、大人用足型３８と子供用足型３９によって大人が左側に、幼児が右側に誘導されるため、各開操作部は片方に存在すればよい。また、さらにスピーカ３５から音声を出力して誘導してもよい。
【符号の説明】
【００４０】
１０  エスカレーター、１１  ステップ、１２  欄干、１３  ステップチェーン、１４  下部スプロケット、１５  上部スプロケット、１６  下部機械室、１７  上部機械室、１８  乗場、１８ｐ  乗り口、１９  降場、２０  制御装置、２１  ランディングプレート、３０  乗場ゲート装置、３１  ゲート装置本体、３２  ゲート、３３  第１開操作部、３４  第２開操作部、３５  スピーカ、３６  凹部、３７  認証カード、３８  大人用足型、３９  子供用足型、４０  降場ゲート装置
【図１】
0006668167.tif 000002
【図２】
0006668167.tif 000003
【図３】
0006668167.tif 000004
【図４】
0006668167.tif 000005
【図５】
0006668167.tif 000006